(57)【要約】【課題】コネクタの周りに、ロックレバーの凸部を押すための指を入れるためのスペースがない機器等にコネクタを着脱する高密度実装の場合に最適で、小型化がはかれ、嵌合力の強度と作業性の向上がはかれる着脱機構付きコネクタに関する。【解決手段】第１番目としては、狭いスペースでコネクタを着脱する場合、プラグ後方に伸びた引き抜きのためのプルタブ部を持って引っ張ることにより、コネクタの周りに指を入れるための十分なスペースがなくとも容易に着脱が可能である。第２番目としては、先端ロック爪の嵌合の強度について、コネクタハウジング内に設置されたスライド部品の一部がアダプタと嵌合中は、先端ロック爪をハウジング外側方向に押し上げる位置にあり、プラグコネクタを引き抜くような過大な外力に対しても容易に先端ロック爪がハウジング本体内側方向に移動しないよう保持し、強度を向上させることが出来る。【選択図】図１
2005235545.tif 000002
【特許請求の範囲】
【請求項１】
プラグのロックレバーとアダプタの係合溝が嵌合する着脱機構付きコネクタにおいて、ロックレバーの先端側から、先端ロック爪と下側レバーとテーパ部と上側レバーを順に形成し、前記ロックレバーの上側レバーが、プラグの上面ハウジングと連結されており、他方、前記ロックレバーの下方のハウジング内に、スライド部品の先端上面部にテーパ部を形成し、かつ、その後方側に、プルタブ部で連結して一体化したスライド部品を設けたことを特徴とする着脱機構付きコネクタ。
【請求項２】
請求項１において、プルタブ部を押す前は、ロックレバーのエッジ部とスライド部品のテーパ部が、接触しておらず、先端ロック爪が下方に下がっており、嵌合が解除される第１工程と、
プルタブ部を若干押すことにより、ロックレバーのエッジ部とスライド部品のテーパ部が接触し、一部嵌合される第２工程と、
プルタブ部を完全に押すことにより、ロックレバーの下側レバーとスライド部品の第２上面部が接触して、先端ロック爪が上昇し、アダプタの係合溝と完全に嵌合する第３工程からなることを特徴とする着脱機構付きコネクタ。
【請求項３】
プラグのロックレバーとアダプタの係合溝が嵌合する着脱機構付きコネクタにおいて、ロックレバーの先端側から、先端ロック爪と下側レバーと駆動アームと上側レバーを順に形成し、前記ロックレバーの上側レバーが、プラグの上面ハウジングと連結されており、他方、前記ロックレバーの下方のハウジング内に、スライド部品の先端側に、下側カム溝とテーパ状カム溝と上側カム溝を順に形成して前記駆動アームと連動させ、かつ、その後方側にプルタブ部で連結して一体化したスライド部品を設け、ハウジング内のプルタブ部にコイルバネを挟んだことを特徴とする着脱機構付きコネクタ。
【請求項４】
請求項３において、プルタブ部を引っ張ることにより、コイルバネが縮み、駆動アームが下側カム溝に移動し、先端ロック爪が下側に移動し、嵌合が解除される第１工程と、
プルタブ部を若干離すことにより、コイルバネが働き、駆動アームがテーパ状カム溝に移動し、先端ロック爪が若干上昇し、一部嵌合する第２工程と、
プルタブ部を完全に離すことにより、コイルバネが働き、駆動アームが、上側カム溝に移動し、先端ロック爪が完全に上昇し、アダプタの係合溝と完全に嵌合する第３工程からなることを特徴とする着脱機構付きコネクタ。
【請求項５】
プラグのロックレバーとアダプタの係合溝が嵌合する着脱機構付きコネクタにおいて、ロックレバーの先端側から、先端ロック爪と下側レバーとエッジ部とテーパ部と凸部を順に形成し、そのロックレバーの凸部が、プラグの上面ハウジングと連結されており、他方、前記プラグの凸部とは離した上側の位置に、⊃の字状の凸部操作レバーの上側を配置すると共に反対側の下側をプラグの固定部において固定したことを特徴とする着脱機構付きコネクタ。
【請求項６】
請求項５において、凸部操作レバを押すことにより、凸部と先端ロック爪が、下方に下がり、一方、凸部操作レバを離すことにより、凸部と先端ロック爪が、上に上昇し、アダプタの係合溝と完全に嵌合することを特徴とする着脱機構付きコネクタ。
【発明の詳細な説明】
【技術分野】
【０００１】
本発明は、コネクタの周りに、ロックレバーの凸部を押すための指を入れるためのスペースがない機器等にコネクタを着脱する高密度実装の場合に最適で、小型化がはかれ、嵌合力の強度と作業性の向上がはかれる着脱機構付きコネクタに関する。
【背景技術】
【０００２】
従来のコネクタは、図２に示すように、ロックレバー４の先端ロック爪４Ａ′と上面ハジング３′との連結部分とのほぼ中間部に先端ロック爪４Ａ′をハウジング本体の内側方向に指で押し下げるための凸部９′が設けられており、通常、ロックレバー４′は、先端ロック爪４Ａ′がアダプタ６′の係合溝６Ａ′と嵌合するようにハウジング本体より突出する形に形成されており、嵌合状態を解除する場合は、前記凸部９′をハウジング本体の内側方向に指で押し下げることにより先端ロック爪４Ａ′がハウジング本体内部に下がると同時にアダプタ６′の係合溝６Ａ′との嵌合状態が解除される構造になっていた。
【０００３】
【特許文献１】特開平５−１４４５１２号公報
【発明の開示】
【発明が解決しようとする課題】
【０００４】
解決しようとする課題は、第１番目としては、ロックレバーを押し下げ、アダプタの係合溝との嵌合状態を解除するためにロックレバーの凸部を押すための指を入れる十分な間隙がない狭いスペースへの実装には不向きであること。第２番目としては、コネクタのロック爪嵌合構造は、プラグコネクタに過大な引き抜き力が加わった場合、あるいは長期間に渡って微弱な引き抜き力が加わった場合、そのロック爪は次第にハウジング本体の内側方向に押し下げられ、ロック状態が解除されてしまうことがあった。
【課題を解決するための手段】
【０００５】
本発明は、これらの問題を解決するために、鋭意検討した結果、
第１番目としては、狭いスペースでコネクタを着脱する場合、プラグ後方に伸びた引き抜きのためのプルタブ部を持って引っ張ることにより、コネクタの周りに指を入れるための十分なスペースがなくとも容易に着脱が可能である。第２番目としては、ロック爪嵌合の強度について、コネクタハウジング内に設置されたスライド部品の一部がアダプタと嵌合中は先端ロック爪をハウジング外側方向に押し上げる位置にあり、プラグコネクタを引き抜くような過大な外力に対しても容易にロック爪がハウジング本体内側方向に移動しないよう保持し、強度を向上させることが出来る。
【発明の効果】
【０００６】
ロックレバーの凸部を押すための指を入れるためのスペースがない程、高密度実装化された機器等にコネクタを着脱する高密度実装に最適で、小型化がはかれ、嵌合力の強度と作業性の向上がはかれる着脱機構付きコネクタである。
【発明を実施するための最良の形態】
【０００７】
以下、本発明の着脱機構付きコネクタの実施例を添付図面を参照して詳細に説明する。
【実施例１】
【０００８】
本発明の第１実施例は、図１（イ）に示すように、ロックレバーの先端側から、先端ロック爪４Ａと下側レバー４Ｂとテーパ部４Ｄと上側レバー４Ｅを順に形成し、前記ロックレバー４の上側レバー４Ｅが、プラグ２の上面ハウジング３と連結されており、他方、前記ロックレバー４の下方のハウジング内に、スライド部品の先端上面部にテーパ部５Ｂを形成し、かつ、その後方側に、プルタブ部５Ｈで連結して一体化したスライド部品５を設けた着脱機構付きコネクタである。
【実施例２】
【０００９】
このような構造であるため、第２実施例としては、図１（イ）に示すように、第１実施例において、プルタブ部５Ｈを押す前は、ロックレバー４のエッジ部４Ｃとスライド部品５のテーパ部５Ｂが、接触しておらず、先端ロック爪４Ａが下方に下がっており、嵌合が解除される第１工程と、プルタブ部５Ｈを若干押すことにより、ロックレバー４のエッジ部４Ｃとスライド部品５のテーパ部５Ｂが接触し、一部嵌合される第２工程と、プルタブ部５Ｈを完全に押すことにより、ロックレバー４の下側レバー４Ｂとスライド部品５の第２上面部５Ｃが接触して、先端ロック爪４Ａが上昇し、アダプタ６の係合溝６Ａと完全に嵌合する第３工程からなる着脱機構付きコネクタである。ここで、プルタブ部５Ｈを押すと、第１底面部５Ｄと第２底面部５Ｅは、ハウジングの底面に沿って平行にスライドされる。尚、第１底面部５Ｄと第２底面部５Ｅは、下面ハウジングの形状に合うように適宜変更して構わない。
【実施例３】
【００１０】
第３実施例としては、図１（ロ）に示すように、ロックレバー４の先端側から、先端ロック爪４Ａと下側レバー４Ｂと駆動アーム４Ｆと上側レバー４Ｅを順に形成し、前記ロックレバー４の上側レバー４Ｅが、プラグの上面ハウジング３と連結されており、他方、前記ロックレバー４の下方のハウジング内に、スライド部品５の先端側に、下側カム溝とテーパ状カム溝と上側カム溝を順に形成して前記駆動アーム４Ｆと連動させ、かつ、その後方側にプルタブ部５Ｈで連結して一体化したスライド部品５を設け、ハウジング内のプルタブ部５Ｈにコイルバネ５Ｆを挟んだ着脱機構付きコネクタである。ここで、カム溝５Ｇは、左右に溝を設けた拡大図で例示したが、必ずしもこの形状にしなくても構わない。
【実施例４】
【００１１】
このような構造であるため、第４実施例としては、図１（ロ）に示すように、第３実施例において、プルタブ部５Ｈを引っ張ることにより、コイルバネ５Ｆが縮み、駆動アーム４Ｆが下側カム溝に移動し、先端ロック爪４Ａが下側に移動し、嵌合が解除される第１工程と、プルタブ部５Ｈを若干離すことにより、コイルバネ５Ｆが働き、駆動アーム４Ｆがテーパ状カム溝に移動し、先端ロック爪４Ａが若干上昇し、一部嵌合する第２工程と、プルタブ部５Ｈを完全に離すことにより、コイルバネ５Ｆが働き、駆動アーム４Ｆが、上側カム溝に移動し、先端ロック爪４Ａが完全に上昇し、アダプタ６の係合溝６Ａと完全に嵌合する第３工程からなる着脱機構付きコネクタである。
【実施例５】
【００１２】
第５実施例としては、図１（ハ）に示すように、ロックレバーの先端側から、先端ロック爪４Ａと下側レバー４Ｂとテーパ部４Ｄと凸部９を順に形成し、そのロックレバー４の凸部９が、プラグ２の上面ハウジング３と連結されており、他方、前記プラグ２の凸部９とは離した上側の位置に、⊃の字状の凸部操作レバー８の上側を配置すると共に反対側の下側をプラグ２の固定部１２で固定した着脱機構付きコネクタである。
【実施例６】
【００１３】
第６実施例としては、図１（ハ）に示すように、実施例５において、凸部操作レバ８を単に押すことにより、凸部９と先端ロック爪４Ａが、下方に下がり、一方、凸部操作レバ８を離すことにより、凸部９と先端ロック爪４Ａが、上に上昇し、アダプタ６の係合溝６Ａと完全に嵌合する着脱機構付きコネクタである。
【００１４】
本発明の実施例では、光コネクタを代表例に取り図示して説明したがこれに限らず、一般のコネクタに応用出来る。また、凸部操作レバーの形状やロックレバーの形状等各種の変形を含むものであることはいうまでもない。
【産業上の利用可能性】
【００１５】
本発明は、一般のコネクタ等幅広い応用が可能である。
【図面の簡単な説明】
【００１６】
【図１】（イ）本発明の着脱機構付きコネクタ１Ａの第１、２実施例である。（ロ）本発明の着脱機構付きコネクタ１Ｂの第３，４実施例である。（ハ）本発明の着脱機構付きコネクタ１Ｃの第５，６実施例である。
【図２】従来の着脱機構付きコネクタ１′の実施例である。
【符号の説明】
【００１７】
１Ａ、１Ｂ、１Ｃ  本発明の着脱機構付きコネクタ
２    プラグ
３    上面ハウジング
４    ロックレバー
４Ａ  先端ロック爪
４Ｂ  下側レバー
４Ｃ  エッジ部
４Ｄ  テーパ部
４Ｅ  上側レバー
４Ｆ  駆動アーム
５    スライド部品
５Ａ  第１上面部
５Ｂ  テーパ部
５Ｃ  第２上面部
５Ｄ  第１底面部
５Ｅ  第２底面部
５Ｆ  コイルバネ
５Ｇ  カム溝
５Ｈ  プルタブ部
６    アダプタ
６Ａ  係合溝
７    ケーブル
８    凸部操作レバー
９    凸部
10    固定部
１′  従来の着脱機構付きコネクタ
２′  プラグ
３′  上面ハウジング
４′  ロックレバー
４Ａ′先端ロック爪
６′  アダプタ
６Ａ′係合溝
７′  ケーブル
９′  凸部
【図１】
2005235545.tif 000003
【図２】
2005235545.tif 000004